(57)【要約】【課題】  モップや箒等を用いてかき集めた塵埃を簡便に取り除き、掃除の手間を軽減する住宅用吸塵装置の提供。【解決手段】  居室の床面（５１）に、開口縁部（１０）が床面（５１）と略面一となるように凹設された溝体（２）と、塵埃（７０）を吸い込むための吸込口（２２）を有し、上面が該開口縁部（１０）と略面一となるように該溝体（２）を覆う蓋体（３）と、該溝体（２）と連通接続され、塵埃（７０）を該蓋体（３）の吸込口（２２）から該溝体（２）内に吸い込み、該溝体（２）内の塵埃（７０）を含んだ空気を吸引する吸気手段と、該吸気手段によって吸引された塵埃（７０）を含んだ空気から、該塵埃（７０）を分離して捕集する集塵手段とを備えて構成する。【選択図】  図３
2006271540.tif 000002
【特許請求の範囲】
【請求項１】
居室の床面に、開口縁部が該床面と略面一となるように凹設された溝体と、
塵埃を吸い込むための吸込口を有し、上面が該開口縁部と略面一となるように該溝体を覆う蓋体と、
該溝体と連通接続され、塵埃を該蓋体の吸込口から該溝体内に吸い込み、該溝体内の塵埃を含んだ空気を吸引する吸気手段と、
該吸気手段によって吸引された塵埃を含んだ空気から、該塵埃を分離して捕集する集塵手段とを備えた住宅用吸塵装置。
【請求項２】
該蓋体は、上蓋と下蓋とに分割構成され、該下蓋には、誤って吸い込まれた塵埃以外の小物を捕捉する手段が設けられている請求項１に記載の住宅用吸塵装置。
【請求項３】
該溝体及び該蓋体が、居室の床面周縁に沿って配設されている請求項１又は２に記載の住宅用吸塵装置。
【発明の詳細な説明】
【技術分野】
【０００１】
本発明は、住宅においてモップや箒等でかき集められた塵埃を吸い込んで取り除くための住宅用吸塵装置に関する。
【背景技術】
【０００２】
従来、住宅における掃除（中でも床面の掃除）は、電気掃除機、モップ、箒等を用いて行われてきた。電気掃除機は、優れた吸塵力を有するという利点はあるが、ノズル、ホース、本体を一体的に移動させて使用する必要があり、また電源コードの長さによって移動可能範囲が制限されるために、取り扱いが不便で簡易に掃除を行うことができないという問題がある。さらに、近年の住宅では、床仕上げにフローリング材が用いられる傾向にあるため、電気掃除機を不用意に転がすと、床面に傷を付け易いという問題がある。
【０００３】
このようなことから、電気掃除機に替えて、モップや箒が用いられることが多いが、モップや箒は、取り扱いが容易である反面、塵埃をかき集める機能しかもっておらず、かき集めた塵埃は塵取りや電気掃除機等別途の方法で取り除く必要があり、手間がかかるものであった。
【０００４】
一方で、室内において発生する塵埃を自動的に吸い込んで取り除き、作業空間を高い清浄度に保つ設備を備えたクリーンルームが、研究施設や工場等において用いられることがある（例えば特許文献１）。
【０００５】
【特許文献１】特開２００３−２８７２５３
【発明の開示】
【発明が解決しようとする課題】
【０００６】
しかしながら、上記特許文献１等に記載されるクリーンルームは、特に精密機器の製造ライン等において用いられ、非常に高い清浄性を発揮させるために大掛かりな設備を必要とするものであることから、居室における塵埃を吸い込んで取り除くという観点から、同種の設備が住宅において用いられることは、これまで無かった。
そこで、本発明は上記問題に鑑みてなされたものであり、モップや箒等を用いてかき集めた塵埃を簡便に取り除き、掃除の手間を軽減する住宅用吸塵装置を提供することを目的とするものである。
【課題を解決するための手段】
【０００７】
上記の課題を解決するために、請求項１に記載の住宅用吸塵装置は、居室の床面に、開口縁部が該床面と略面一となるように凹設された溝体と、
塵埃を吸い込むための吸込口を有し、上面が該開口縁部と略面一となるように該溝体を覆う蓋体と、
該溝体と連通接続され、塵埃を該蓋体の吸込口から該溝体内に吸い込み、該溝体内の塵埃を含んだ空気を吸引する吸気手段と、
該吸気手段によって吸引された塵埃を含んだ空気から、該塵埃を分離して捕集する集塵手段とを備えたことを要旨とする。
【０００８】
また、請求項２に記載の住宅用吸塵装置は、請求項１に記載の構成において、該蓋体は、上蓋と下蓋とに分割構成され、該下蓋には、誤って吸い込まれた塵埃以外の小物を捕捉する手段が設けられていることを要旨とする。
【０００９】
また、請求項３に記載の住宅用吸塵装置は、請求項１又は２に記載の構成において、該溝体及び該蓋体が、居室の床面周縁に沿って配設されていることを要旨とする。
【発明の効果】
【００１０】
本発明に係る住宅用吸塵装置は、居室の床面に、開口縁部が該床面と略面一となるように凹設された溝体と、塵埃を吸い込むための吸込口を有し、上面が該開口縁部と略面一となるように該溝体を覆う蓋体と、該溝体と連通接続され、塵埃を該蓋体の吸込口から該溝体内に吸い込み、該溝体内の塵埃を含んだ空気を吸引する吸気手段と、該吸気手段によって吸引された塵埃を含んだ空気から、該塵埃を分離して捕集する集塵手段とを備えて構成したため、モップや箒等でかき集めた塵埃をきわめて簡便に取り除くことができるとともに、掃除の手間を大幅に軽減することが可能となる。
そして、これによって、仕事や育児で時間に追われていた居住者も日常生活における時間的ゆとりを持つことが可能となり、生活満足度の向上に多大な貢献をもたらすことが期待できる。
【発明を実施するための最良の形態】
【００１１】
本発明に係る住宅用吸塵装置は、居室の床面に凹設される溝体を備えるものであるが、溝体は、上方に開口され、その開口縁部が居室床面と略面一となるものであれば、その形状、大きさ等は如何なるものであってもよい。
また、本発明に係る住宅用吸塵装置は、上下貫通の吸込口を有し、溝体を上方から覆う蓋体を備えるものであるが、吸込口は、塵埃が通過可能なものであれば、その形状、大きさ等は如何なるものであってもよい。蓋体は、載置したときにその上面が、溝体の開口縁部と略面一となるように構成する。これにより、蓋体上面、溝体の開口縁部、居室床面が全て略面一となって、居室床面上のかき集められた塵埃を容易に蓋体の吸込口まで移動させて吸い込ませることが可能となる。
【００１２】
本発明に係る住宅用吸塵装置の吸気手段としては電動のものが好ましく、例えば電動式の送風機等を用いる。吸気手段は、溝体内における塵埃を含んだ空気を吸い込み可能な動力を備えて構成する。
また、本発明に係る住宅用吸塵装置の集塵手段は、吸気手段によって吸引された塵埃を含んだ空気から、塵埃を分離して捕集可能なものであれば、その形態は如何なるものであってもよい。
【００１３】
本発明に係る住宅用吸塵装置は、住宅における一部の居室に設ける他、全ての居室に設けることとしてもよい。溝体及び蓋体の居室内での配置は特に限定されないが、好ましくは居室の床面周縁（壁際）に配置する。床面周縁全てに亘って配置する他、床面周縁の一部のみに配置することとしてもよい。
また、吸気手段及び集塵手段は、好ましくは床下に配置する。溝体及び蓋体と同じ居室に配置する他、他の居室に配置することとしてもよい。
吸気手段は、吸気ダクト等を介して溝体に連通接続する他、溝体と直接的に連通接続することとしてもよい。
さらに、吸気手段及び集塵手段は、複数設けることとしてもよい。
【実施例１】
【００１４】
本発明の第１の実施例を図１〜図４に基づいて説明する。本実施例に係る吸塵装置（１）は、図１〜図２に示すように、住宅居室（５０）の床面（５１）周縁部に沿って配設される溝体（２）、及び溝体（２）を閉じる蓋体（３）と、溝体（２）の適宜の位置に接続される吸気ダクト（４）と、さらに集塵手段（６）を介在して吸気ダクト（４）に接続される吸気手段（５）とを備えて構成される。
【００１５】
溝体（２）は、図３に示すように、断面略Ｕ字状をなし、開口縁部（１０）が床面（５１）と面一となるように、壁面（５２）に沿って凹設されている。
溝体（２）には、蓋体（３）を載置可能とする蓋体受け部（１１）が、開口縁部（１０）から蓋体（３）の厚み分だけ凹ませて形成されており、蓋体（３）を載置したときに、蓋体（３）の上面が床面（５１）と面一となるようになされている。
【００１６】
蓋体（３）は、図３〜図４に示すように、同じ大きさからなる上蓋（１５）と下蓋（１６）とに分割構成され、上蓋（１５）と下蓋（１６）とを積層させた複数の蓋体（３）が溝体（２）の長さ方向に沿って縦列に配置されている。
上蓋（１５）は、帯板状の縦枠（１８）と横枠（１９）とによって方形に枠組み形成されて、その内周には、それぞれ縦枠（１８）、横枠（１９）に平行して格子状を形成するべく、下方に向って窄んだ断面台形状の複数の板材（２０）（２１）が配設固定されており、これにより上蓋（１５）には、床面（５１）上の塵埃（７０）を吸い込むための細長スリット状の吸込口（２２）が多数形成されている。
【００１７】
下蓋（１６）も、図３〜図４に示すように、上蓋（１５）同様に帯板状の縦枠（２５）と横枠（２６）とによって方形に枠組み形成されるが、その内周には、多数の小孔（２８）が穿孔された中板（２７）が配設固定されている。この多数の小孔（２８）が穿孔された中板（２７）は、上蓋（１５）の吸込口（２２）から誤って吸い込まれた塵埃以外の小物が、溝体（２）内に落下するのを防止して捕捉するための手段の一例を示したものであり、同様の機能を有するものであれば、この形状に限らず用いることができる。
このように構成された上蓋（１５）、下蓋（１６）は、縦枠（１８）と（２５）、横枠（１９）と（２６）の下面、上面がそれぞれ互いに当接されて、溝体（３）の蓋体受け部（１１）に載置されている。
なお、蓋体受け部（１１）、上蓋（１５）、下蓋（１６）を、嵌合突起や係止片等の既知の手段を用いて、互いに着脱自在に構成することとしてもよい。
【００１８】
図２に示すように、吸気手段（５）は、塵埃を吸引するための電動ファン（３１）と、それを収納する箱状の電動ファン収納室（３０）とから構成される。一方で、集塵手段（６）は、電動ファン（３１）によって吸引された塵埃を捕集するためのフィルター状の集塵袋（３６）と、それを収容する箱状で上部が開放された集塵室（３５）とから構成される。
電動ファン収納室（３０）と集塵室（３５）とは、開口（３３ａ）を有する隔壁（３３）を介して互いに隣接して配置されている。
【００１９】
電動ファン収納室（３０）の隔壁（３３）に対向する側壁には、排気ダクト（図示せず）が接続され、屋外と連通されている。
また、電動ファン（３１）には、作動のオン・オフ及び回転数を切り替えるための操作スイッチ（図示せず）が接続されている。
【００２０】
集塵室（３５）の隔壁（３３）に対向する側壁には、図２に示すように、溝体（２）の適宜の位置に接続され、且つ床下を通って配設された吸気ダクト（４）の一端が、接続口（４０）を介して接続されており、これにより、溝体（２）と集塵室（３５）、さらに電動ファン収納室（３０）とが連通して構成されている。接続口（４０）には、集塵袋（３６）の口が係止手段を用いて着脱自在に取り付けられている。
本実施例では、二本の吸気ダクト（４）が接続口（４１）を介して溝体（２）に接続されているが、塵埃を含んだ空気の吸気をスムーズに行うために、それぞれの接続口（４１）においては、溝体（２）の内周底面と、吸気ダクト（４）の内周底面とが面一となるように接続構成されている。
【００２１】
電動ファン収納室（３０）、及び集塵室（３５）は、本実施例では図１〜図２に示すように、居室（５０）に付属するウォークインクローゼット（５４）の床下に設けられており、ウォークインクローゼット（５４）の床面に形成される開閉蓋（５５）によって、集塵室（３５）内の集塵袋（３６）を取出自在・交換自在としている。
【００２２】
上記のように構成された吸塵装置（１）の使用に際しては、まず操作スイッチによって電動ファン（３１）を作動させ、溝体（２）内及び吸気ダクト（４）内に、図２に示す矢印の向きの空気の流れを生じさせる。
そして、図３に示すように、モップや箒等の清掃具（７１）により居室床面（５１）上にかき集められた塵埃（７０）を、そのまま清掃具（７１）を用いて蓋体（３）上面に水平移動させると、塵埃（７０）は、上蓋（１５）の吸込口（２２）、及び下蓋（１６）の小孔（２８）を通過して溝体（２）内に吸い込まれる。塵埃（７０）以外の小物（例えば指輪など）が塵埃（７０）中に混ざり込み、誤って吸い込ませてしまった場合には、これらの小物は中板（２７）に引っかかり、溝体（２）内に落下することがないようになされている。
また、図１に示すように、居室（５０）の床面（５１）周縁部でベッド（６０）、タンス（６１）、棚（６２）等が配置されているところは、モップや箒等の清掃具（７０）を使用できないが、電動ファン（３１）を作動させることにより、蓋体（３）上面近傍に溜まった塵埃が直接人手を介することなく吸い込まれることとなる。
【００２３】
溝体（２）内に塵埃（７０）が吸い込まれた後、塵埃（７０）を含んだ空気は、図２に示す矢印の向きに、吸気ダクト（４）を通って吸引され、集塵室（３５）で集塵袋（３６）によって、吸引された塵埃（７０）を含んだ空気から塵埃（７０）が分離されて捕集される。集塵袋（３６）は掃除毎に取替交換することとしてもよいし、ある程度塵埃が溜まってから取替交換することとしてもよい。
【００２４】
以上、本実施例によれば、モップや箒等でかき集めた塵埃（７０）をそのまま上蓋（１５）の吸気口（２２）のところにもっていくだけで、塵埃（７０）を吸い込ませて取り除くことができるため、掃除の手間がきわめて軽減される。
【００２５】
また、従来、ベッド等の置き家具の裏側など、普段掃除を行いにくいところには塵埃が溜りがちであったが、本実施例のように、溝体（２）及び蓋体（３）を居室（５０）周縁に沿って配設することとすれば、蓋体（３）上面近傍の塵埃が日常的に吸い取られるため、塵埃を溜まり難くすることができ、模様替え等で置き家具の配置を変更する際に大掛かりな掃除をしなくてすむ。
【００２６】
さらに、本実施例では、蓋体（３）を上蓋（１５）と下蓋（１６）とに分割構成し、下蓋（１６）に、誤って吸い込まれた塵埃以外の小物を捕捉する手段として多数の小孔（２８）を有する中板（２７）を設けることとしたため、誤って塵埃以外の小物を吸い込ませてしまった場合でも、下蓋（１６）の小孔（２８）を通過することなく中板（２７）に捕捉され、上蓋（１５）を取り外すだけで、簡単に拾い出すことが可能となる。
【実施例２】
【００２７】
本発明の第２の実施例を図５〜図６を参照しながら説明する。本実施例は、本発明に係る吸塵装置の他の実施形態を示すものである。
【００２８】
本実施例においては、図３で示したのと同様の構成の溝体（２’）及び蓋体（３’）が、図５に示すように、居室（５０’）における一の壁面（５２’）に沿って一定長さで直線状に凹設されている。
電動ファン収納室（３０’）、及び集塵室（３５’）は同じ居室（５０’）略中央部の床下に設けられており、集塵室（３５’）上部に相当する床面（５１’）には、集塵室（３５’）内の集塵袋（３６’）を取出・交換するための開閉蓋（５５’）が設置されている。
電動ファン収納室（３１’）と集塵室（３５’）とは、開口（３３ａ’）を有する隔壁（３３’）によって連通されて隣接して配置されている。
【００２９】
図６に示すように、集塵室（３５’）の隔壁（３３’）に対向する側壁は、居室（５０’）の床下を通って配設される吸気ダクト（４’）を介して、溝体（２’）の長さ方向端部の一端と連通接続されるとともに、電動ファン収納室（３０’）の隔壁（３３’）に対向する側壁は、同じく居室（５０’）床下を通って配設される排気ダクト（７）を介して、溝体（２’）の長さ方向端部の他端と連通接続されており、これにより、溝体（２’）、集塵室（３５’）、電動ファン収納室（３０’）とが相互に連通して構成されている。
【００３０】
上記のように構成された吸塵装置（１’）において、電動ファン（３１’）を作動させると、溝体（２’）内、吸気ダクト（４’）内、排気ダクト（７）内に、図６に示す矢印の向きの空気の循環を生じさせる。
そして、モップや箒等の清掃具により居室床面（５１’）上の塵埃をかき集め、そのまま蓋体（３’）上面に移動させると、塵埃は、蓋体（３’）を通過して溝体（２’）内に吸い込まれ、吸気ダクト（４’）内を吸引されて集塵室（３５’）の集塵袋（３６’）内に捕集される。
【００３１】
塵埃とともに集塵室（３５’）に吸引された空気は、隔壁（３３’）の開口（３３ａ’）を通って電動ファン収納室（３０’）から排気されるが、排気される空気は排気ダクト（７）内を通って再び溝体（２’）内に入るため、この排気によって、蓋体（３’）を通過して落下してくる塵埃は、吸気ダクト（４’）の入り口に向って勢いよく吹き付けられることとなる。
【００３２】
本実施例のような吸塵装置（１’）であれば、排気ダクト（７）からの排気を利用して、蓋体（３’）から吸い込んだ塵埃の吸気ダクト（４’）に向っての移動を助勢できるため、塵埃を確実に吸引させて捕集することが可能となる。しかも、吸気と排気とが循環するように構成したため、非常に効率がよい。
【産業上の利用可能性】
【００３３】
本発明は、モップや箒等を用いてかき集めた塵埃を簡便に取り除き、掃除の手間を軽減する住宅用吸塵装置を提供するものであり、産業上の利用可能性を有する。
【図面の簡単な説明】
【００３４】
【図１】本発明に係る吸塵装置を用いた住宅平面図である。
【図２】図１における床下部の簡略平面図である。
【図３】溝体及び蓋体の横断面図である。
【図４】蓋体の平面図である。
【図５】他の実施形態に係る吸塵装置を用いた住宅平面図である。
【図６】図５における床下部の簡略平面図である。
【符号の説明】
【００３５】
１、１’  吸塵装置
２、２’  溝体
３、３’  蓋体
４、４’  吸気ダクト
５、５’  吸気手段
６、６’  集塵手段
７  排気ダクト
１０  開口縁部
１１  蓋体受け部
１５  上蓋
１６  下蓋
１８  縦枠
１９  横枠
２０、２１  板材
２２  吸込口
２５  縦枠
２６  横枠
２７  中板
２８  小孔
３０  電動ファン収納室
３１  電動ファン
３３  隔壁
３５  集塵室
３６  集塵袋
４０  接続口
４１  接続口
５０、５０’  居室
５１、５１’  床面
５２、５２’  壁面
５３  巾木
５４  ウォークインクローゼット
５５、５５’  開閉蓋
６０  ベッド
６１  タンス
６２  棚
７０  塵埃
７１  清掃用具
【図１】
2006271540.tif 000003
【図２】
2006271540.tif 000004
【図３】
2006271540.tif 000005
【図４】
2006271540.tif 000006
【図５】
2006271540.tif 000007
【図６】
2006271540.tif 000008